(57)【特許請求の範囲】
【請求項１】
時分割多重方式により相手局と無線接続するもので、１フレーム中で複数のタイムスロットを通じて前記相手局と通信可能な移動無線端末装置において、
自装置が通信に用いている複数のタイムスロットの受信電界強度を検出する検出手段と、
この検出手段にて検出された複数のタイムスロットの受信電界強度が、それぞれ所定の閾値を下回っているか否かを判定する判定手段と、
この判定手段にて、自装置が通信に用いているすべてのタイムスロットの受信電界強度が、それぞれ規定時間以上連続して前記閾値を下回っていると判定された場合に、通信に用いるタイムスロットの切換制御を行うチャネル制御手段とを具備することを特徴とする移動無線端末装置。
【請求項２】
時分割多重方式により相手局と無線接続するもので、１フレーム中で複数のタイムスロットを通じて前記相手局と通信可能な移動無線端末装置において、
自装置が通信に用いている複数のタイムスロットの受信電界強度を検出する検出手段と、
この検出手段にて検出された複数のタイムスロットの受信電界強度が、それぞれ第１の閾値を下回っているか否かを判定する判定手段と、
少なくとも１つの受信電界強度が前記第１の閾値を上回っていると前記判定手段が判定した場合には、前記検出手段にて検出された受信電界強度に、前記第１の閾値よりも低い第２の閾値を規定時間以上下回るものがある場合に限り、通信に用いるタイムスロットの切換制御を行うチャネル制御手段とを具備することを特徴とする移動無線端末装置。
【請求項３】
時分割多重方式により相手局と無線接続するもので、１フレーム中で複数のタイムスロットを通じて前記相手局と通信可能な移動無線端末装置において、
自装置が通信に用いている複数のタイムスロットの受信電界強度を検出する検出手段と、
この検出手段にて検出された複数のタイムスロットの受信電界強度の平均が、所定の閾値を下回っているか否かを判定する判定手段と、
この判定手段にて、前記受信電界強度の平均が規定時間以上連続して前記閾値を下回っていると判定された場合に、通信に用いるタイムスロットの切換制御を行うチャネル制御手段とを具備することを特徴とする移動無線端末装置。
【発明の詳細な説明】
【０００１】
【発明の属する技術分野】
この発明は、例えばＰＨＳ（Personal Handyphone System）やＰＤＣ（Public Digital Cellar）のシステムで用いられるＴＤＭＡ（Time Division Multiple Access）方式の移動無線端末装置であって、特に１つの相手局との間で１フレーム中で複数のタイムスロットを通じて通信を行う移動無線端末装置に関する。
【０００２】
【従来の技術】
周知のように、従来のＴＤＭＡ方式の移動無線端末装置では、ＲＳＳＩ検出レベルに応じてチャネルやスロットを切り換えるようにしている。
例えばＡＲＩＢ  ＲＣＲ−ＳＴＤ２８に準拠した移動無線端末装置にあっては、１つの基地局との間で１フレーム中で２つのスロットを通じて通信を行う場合、通信に用いる各スロットのＲＳＳＩレベルを検出する。
【０００３】
そして、２つの通信スロットのうち、少なくとも一方の通信スロットのＲＳＳＩ検出レベルが所定時間以上連続して規定値を下回ると、この下回った通信スロットのみ、あるいは２つの通信スロットについてチャネルやスロットの切換制御を実行するようにしてる。
【０００４】
例えば、図１０に示すように、障害物の影響を受けないような状況にある場合には、２つの通信スロットからそれぞれ規定値以上のＲＳＳＩレベルが検出される状態にあるため、２つのスロットを用いた通信が行われる。
【０００５】
一方、例えば図１１に示すような障害物などによって電波環境が悪化して、図１２に示すように、２つの通信スロットのうち、一方の通信スロットのＲＳＳＩ検出レベルが規定値を所定時間以上下回ると、上述したように、ＲＳＳＩ検出値が悪化した通信スロットのみ、あるいは２つの通信スロットについてチャネルやスロットの切換制御が実行される。
【０００６】
しかしながら、このような従来の移動無線端末装置では、一時的な電波環境の悪化によって、一方のスロットのＲＳＳＩ検出レベルだけが規定値を所定時間以上下回り、すぐにＲＳＳＩ検出レベルが回復することがあるが、このような場合、電波環境の悪化は一時的なものであるため、通信を継続することが可能であるにもかかわらずチャネルやスロットの切換制御を実行してしまう。
【０００７】
このため、ＲＳＳＩ検出値が劣化した通信スロットのみについて切換制御するシステムでは、切換制御の間、１スロットによる通信となるため、通信品質が劣化し、また、２スロットとも切換制御するシステムでは、一時的に通信が中断してしまうという問題がある。
【０００８】
【発明が解決しようとする課題】
従来の移動無線端末装置では、１フレーム中で複数のタイムスロットを通じて通信する場合、一時的な電波環境の悪化が原因であっても、１つの通信スロットのＲＳＳＩ検出レベルが規定値を所定時間以上下回ると、チャネルやスロットの切換制御が実行されて、通信品質が劣化するという問題があった。
【０００９】
この発明は上記の問題を解決すべくなされたもので、１フレーム中で複数の通信スロットを用いた通信時において、一時的な電波環境の悪化が原因で１つの通信スロットのＲＳＳＩ検出レベルが一時的に規定値を所定時間以上連続して下回った場合には、チャネルやスロットの切換制御の実行を防止して、通信品質が劣化を防止可能な移動無線端末装置を提供することを目的とする。
【００１０】
【課題を解決するための手段】
上記の目的を達成するために、この発明は、時分割多重方式により相手局と無線接続するもので、１フレーム中で複数のタイムスロットを通じて相手局と通信可能な移動無線端末装置において、自装置が通信に用いている複数のタイムスロットの受信電界強度を検出する検出手段と、この検出手段にて検出された複数のタイムスロットの受信電界強度が、それぞれ所定の閾値を下回っているか否かを判定する判定手段と、この判定手段にて、自装置が通信に用いているすべてのタイムスロットの受信電界強度が、それぞれ規定時間以上連続して前記閾値を下回っていると判定された場合に、通信に用いるタイムスロットの切換制御を行うチャネル制御手段とを具備して構成するようにした。
【００１１】
上記構成の移動無線端末装置では、通信に用いる複数のタイムスロットの受信電界強度が、すべての閾値を規定時間以上連続して下回っている場合に限り、電波環境の悪化とみなして、タイムスロットの切換制御を実行するようにしている。
【００１２】
すなわち、複数のタイムスロットを用いた通信時において、いずれかのタイムスロットの受信電界強度が閾値を越えていれば、残るタイムスロットの受信電界強度が閾値を越えていない状態が規定時間以上連続していても、一時的な受信電界強度の低下とみなして、タイムスロットの切換制御を実行しないようにしている。
【００１３】
したがって、上記構成の移動無線端末装置によれば、複数のタイムスロットによる通信時に、１つのタイムスロットの受信電界強度が一時的に規定値を所定時間以上連続して下回った場合でも、不必要なタイムスロットの切換制御の実行を防止して、通信品質の劣化を防止することができる。
【００１８】
さらに、上記の目的を達成するために、この発明は、時分割多重方式により相手局と無線接続するもので、１フレーム中で複数のタイムスロットを通じて相手局と通信可能な移動無線端末装置において、自装置が通信に用いている複数のタイムスロットの受信電界強度を検出する検出手段と、この検出手段にて検出された複数のタイムスロットの受信電界強度が、それぞれ第１の閾値を下回っているか否かを判定する判定手段と、少なくとも１つの受信電界強度が第１の閾値を上回っていると判定手段が判定した場合には、検出手段にて検出された受信電界強度に、第１の閾値よりも低い第２の閾値を規定時間以上下回るものがある場合に限り、通信に用いるタイムスロットの切換制御を行うチャネル制御手段とを具備して構成するようにした。
【００１９】
上記構成の移動無線端末装置では、いずれかのタイムスロットの受信電界強度が第１の閾値を越えている場合には、残るいずれかのタイムスロットの受信電界強度が、第１の閾値よりも低い第２の閾値を規定時間以上連続して下回る場合に限り、電波環境の悪化とみなして、タイムスロットの切換制御を実行するようにしている。
【００２０】
すなわち、複数のタイムスロットを用いた通信時において、いずれかのタイムスロットの受信電界強度が第１の閾値を越えていれば、残るいずれかのタイムスロットの受信電界強度が第１の閾値よりも第２の閾値より低い状態が規定時間以上連続していないと、一時的な受信電界強度の低下とみなして、タイムスロットの切換制御を実行しないようにしている。
【００２１】
したがって、上記構成の移動無線端末装置によれば、複数のタイムスロットによる通信時に、１つのタイムスロットの受信電界強度が一時的に規定値を所定時間以上連続して下回った場合でも、不必要なタイムスロットの切換制御の実行を防止して、通信品質の劣化を防止することができる。
【００２２】
さらにまた、上記の目的を達成するために、この発明は、時分割多重方式により相手局と無線接続するもので、１フレーム中で複数のタイムスロットを通じて相手局と通信可能な移動無線端末装置において、自装置が通信に用いている複数のタイムスロットの受信電界強度を検出する検出手段と、この検出手段にて検出された複数のタイムスロットの受信電界強度の平均が、所定の閾値を下回っているか否かを判定する判定手段と、この判定手段にて、受信電界強度の平均が規定時間以上連続して閾値を下回っていると判定された場合に、通信に用いるタイムスロットの切換制御を行うチャネル制御手段とを具備して構成するようにした。
【００２３】
上記構成の移動無線端末装置では、複数のタイムスロットの受信電界強度の平均値が、閾値を規定時間以上連続して下回る場合に限り、電波環境の悪化とみなして、チャネルまたはスロットの切換制御を実行するようにしている。
【００２４】
すなわち、複数のタイムスロットを用いた通信時において、いずれかのタイムスロットの受信電界強度が高ければ、残るタイムスロットの受信電界強度が低くても、結果的に複数のタイムスロットの受信電界強度の平均値が閾値を越えるため、この平均値が閾値を越える場合には一時的な受信電界強度の低下とみなして、タイムスロットの切換制御を実行しないようにしている。
【００２５】
したがって、上記構成の移動無線端末装置によれば、複数のタイムスロットによる通信時に、いずれかのタイムスロットの受信電界強度が一時的に規定値を所定時間以上連続して下回った場合でも、不必要なチャネルやスロットの切換制御の実行を防止して、通信品質の劣化を防止することができる。
【００２６】
【発明の実施の形態】
以下、図面を参照して、この発明に係わる移動無線端末装置の第１の実施形態について説明する。ここでは、ＰＨＳの端末装置を例に挙げて説明する。図１は、その構成を示すものである。
【００２７】
この図に示すＰＨＳ端末装置は、アンテナ１１を備えた無線部１０と、モデム部２０と、ＴＤＭＡ部３０と、スピーカ４３およびマイクロホン４４（Ｍ）を備えた通話部４０と、着信報知部５０と、メモリ部６０と、ユーザインターフェイス部７０と、バッテリ８０と、バッテリ監視部９０と、制御部１００とから構成される。
【００２８】
ＰＨＳ基地局から無線通話チャネルを介して送られた無線周波信号は、アンテナ１１で受信されたのち無線部１０の高周波スイッチ（ＳＷ）１２を介して受信部１３に入力される。
【００２９】
この受信部１３では、上記受信された無線周波信号が周波数シンセサイザ１４から発生された受信局部発振信号とミキシングされて受信中間周波信号に周波数変換される。
【００３０】
なお、上記周波数シンセサイザ１４から発生される局部発振周波数は、無線チャネル周波数に応じて制御部１００より指示される。また、無線部１０には受信電界強度検出部（ＲＳＳＩ）１６が設けられている。
【００３１】
この受信電界強度検出部１６ではＰＨＳ基地局から到来した無線周波信号の受信電界強度（以下、ＲＳＳＩと称する）が検出され、その検出値は制御部１００に通知される。
【００３２】
上記受信部１３から出力された受信中間周波信号は、モデム部２０の復調部２１に入力される。復調部２１では上記受信中間周波信号のディジタル復調が行なわれ、これによりディジタル通話信号が再生される。
【００３３】
ＴＤＭＡ部３０のＴＤＭＡデコード部３１では、制御部１００の指示に従ってタイムスロットごとに上記ディジタル通話信号が分解される。そして、この分解された複数のディジタル通話信号のうち、自機宛てのスロットのディジタル通話信号が通話部４０に入力される。
【００３４】
通話部４０は、適応差分ＰＣＭトランスコーダ（ADPCM TRANS CODER）４１と、ＰＣＭコーデック（PCM CODEC）４２とからなり、上記ディジタル通話信号はこの適応差分ＰＣＭトランスコーダ４１およびＰＣＭコーデック４２で順次復号されてアナログ通話信号に再生される。そして、このアナログ通話信号は図示しない受話増幅器で増幅されたのちスピーカ４３から拡声出力される。
【００３５】
一方、マイクロホン４４に入力された送話音声は、ＰＣＭコーデック４２および適応差分ＰＣＭトランスコーダ４１で順次符号化されてディジタル通話信号となり、ＴＤＭＡエンコード部３２に入力される。
【００３６】
ＴＤＭＡエンコード部３２では、上記適応差分トランスコーダ４１から出力されたディジタル通話信号が制御部１００から指示されたタイムスロットに挿入されて、変調部２２に入力される。変調部２２では、上記ディジタル通話信号により搬送波信号がディジタル変調される。このようにして変調された搬送波信号は、送信部１５に入力される。
【００３７】
送信部１５では、上記変調された搬送波信号が周波数シンセサイザ１４から発生された送信局部発振信号とミキシングされることにより、制御部１００より指示された無線チャネル周波数に周波数変換されたのち、所定の送信電力レベルに増幅される。そして、送信部１５にて周波数変換および信号増幅された無線周波信号は高周波スイッチ１２を介してアンテナ１１からＰＨＳ基地局に向け送信される。
【００３８】
着信報知部５０は、当該端末装置宛てに着信があった場合に、制御部１００の制御によりユーザに対して着信を報知するもので、可聴音を発して報知を行なう発音体５１と、発光により報知を行なう発光体５２と、例えば偏心モータなどにより振動を発生して報知を行なう振動体５３とからなる。
【００３９】
メモリ部６０は、例えばＲＯＭやＲＡＭなどの半導体メモリを記憶媒体としたもので、この記憶媒体には制御部１００の制御プログラムや認証に必要な自機のＩＤデータの他、種々制御データ、各種設定データ、短縮ダイヤル等に対応させたダイヤルデータを記憶している。
【００４０】
ユーザインターフェイス部７０は、表示部７１とキー入力部７２とからなる。表示部７１は、例えばＬＣＤ（Liquid Crystal Display）などからなりユーザに対して自機の状態（発信／着信、バッテリ残量、受信強度）やメモリ部６０から読み出したダイヤルデータを視覚的に示すためのものである。
【００４１】
キー入力部７２は、ダイヤル番号入力を行なうためのテンキーなど発着信に関わる通常の機能を実施するためのキーの他、着信報知方法（可聴音／発光／バイブレータ／報知なし）の切り換えなどの各種設定を行なうための機能設定キーを備えたものである。
【００４２】
バッテリ８０は、リチウムイオン電池やニッケル水素電池などの二次電池からなるもので、当該端末装置の駆動電源である。バッテリ監視部９０は、バッテリ８０を監視するもので、このバッテリの残量を検出して制御部１００に通知する機能の他に、バッテリ８０が充電中であるか否かを検出する充電検出手段９１を備えている。
【００４３】
制御部１００は、例えばマイクロコンピュータを主制御部として備えたもので、上述したような通信に係わる各部の制御や、キー入力部７２を通じたユーザの要求に応じてメモリ部６０に記憶されるダイヤルデータの編集制御など種々の制御を行う。
【００４４】
また、制御部１００は、通信スロットのＲＳＳＩ検出値が予め設定した閾値を規定時間以上連続して下回った場合に、チャネルやスロットの切換制御を実行するが、新たな制御機能として制御部１００は、２スロット通信時においては、２つの通信スロットのＲＳＳＩ検出値がともに上記閾値を規定時間以上連続して下回った場合に限り、チャネルやスロットの切換制御を実行する。
【００４５】
これは、通信に用いられる２つのスロットは、ほぼ同じ伝搬経路を通じて受信されるため、一方の通信スロットが正常であれば、残る他方が劣化していても、一時的なものにすぎないことが多い点に着目したものである。
【００４６】
次に、上記構成のＰＨＳ端末装置の動作を以下に説明する。なお、通常の発着信については従来と同様の動作であることより説明を省略し、ここでは特に、通信時におけるチャネル／スロット切換制御の開始判定処理について説明する。図２は、その動作を説明するためのフローチャートで、この処理は制御部１００により行われる。
【００４７】
まず、図示しない基地局との間で通信が開始されると、ステップ２ａにおいて、現在行われている通信が２スロット通信であるか否かを判定する。ここで、１スロット通信の場合には、ステップ２ｂに移行し、一方、２スロット通信の場合には、ステップ２ｃに移行する。
【００４８】
ステップ２ｂでは、通信に用いているスロットのＲＳＳＩ検出値が、閾値を規定時間以上連続して下回っているか否かを判定する。ここで、下回っている場合には、ステップ２ｆに移行し、一方、下回っていない場合には、ステップ２ｂに移行し、再びＲＳＳＩ検出値を監視する。
【００４９】
ステップ２ｃでは、２つの通信スロットのうち、一方の通信スロットのＲＳＳＩ検出値が、閾値を下回っているか否かを判定する。ここで、下回っている場合には、ステップ２ｄに移行し、一方、下回っていない場合には、ステップ２ｃに移行し、再びＲＳＳＩ検出値を監視する。
【００５０】
ステップ２ｄでは、２つの通信スロットのうち、ステップ２ｃで監視した通信スロットではない、残る一方の通信スロットのＲＳＳＩ検出値が、閾値を下回っているか否かを判定する。ここで、下回っている場合には、ステップ２ｅに移行し、一方、下回っていない場合には、ステップ２ｃに移行し、再びＲＳＳＩ検出値を監視する。
【００５１】
ステップ２ｅでは、２つの通信スロットのＲＳＳＩ検出値が閾値を下回っている状態が、規定時間以上連続しているか否かを判定する。ここで、規定時間以上連続している場合には、ステップ２ｆに移行し、一方、下回っていない場合には、ステップ２ｃに移行し、再びＲＳＳＩ検出値を監視する。
【００５２】
ステップ２ｆでは、チャネルまたはスロットの切換制御を実行する。以後、再び基地局との間で通信が再開されると、上述の処理をステップ２ａより再開する。
【００５３】
以上のように、上記構成の移動無線端末装置では、通信に用いる２つのスロットのＲＳＳＩ検出値が、ともに閾値を規定時間以上連続して下回っている場合に限り、電波環境の悪化とみなして、チャネルまたはスロットの切換制御を実行するようにしている。
【００５４】
すなわち、２つのスロットを用いた通信時において、図３に示すように、一方の通信スロットのＲＳＳＩ検出値が閾値レベルを越えていれば、残る一方の通信スロットのＲＳＳＩ検出値が閾値レベルを越えていない状態が規定時間以上連続していても、一時的なＲＳＳＩ検出値の低下とみなして、チャネルまたはスロットの切換制御を実行しないようにしている。  したがって、上記構成の移動無線端末装置によれば、２スロットによる通信時に、１つの通信スロットのＲＳＳＩ検出レベルが一時的に規定値を所定時間以上連続して下回った場合でも、不必要なチャネルやスロットの切換制御の実行を防止して、通信品質の劣化を防止することができる
尚、この発明は上記実施の形態に限定されるものではない。
例えば、制御部１００は、通信スロットのＲＳＳＩ検出値が予め設定した閾値を規定時間以上連続して下回った場合に、チャネルやスロットの切換制御を実行するが、新たな制御機能として制御部１００は、２スロット通信時において、一方の通信スロットのＲＳＳＩ検出値が上記閾値を越え、残る他方の通信スロットのＲＳＳＩ検出値が上記閾値を連続して下回る場合に、その規定時間を延長設定したものにして、チャネルやスロットの切換制御を実行するようにしてもよい。
【００５５】
以下、上述したような制御部１００を備えた構成の移動無線端末装置を、第２の実施形態として、チャネル／スロット切換制御の開始判定処理について説明する。図４は、その動作を説明するためのフローチャートである。
【００５６】
まず、図示しない基地局との間で通信が開始されると、ステップ４ａにおいて、現在行われている通信が２スロット通信であるか否かを判定する。ここで、１スロット通信の場合には、ステップ４ｂに移行し、一方、２スロット通信の場合には、ステップ４ｃに移行する。
【００５７】
ステップ４ｂでは、通信に用いているスロットのＲＳＳＩ検出値が、閾値を規定時間ｔ１以上連続して下回っているか否かを判定する。ここで、下回っている場合には、ステップ４ｇに移行し、一方、下回っていない場合には、ステップ４ｂに移行し、再びＲＳＳＩ検出値を監視する。
【００５８】
ステップ４ｃでは、２つの通信スロットのうち、一方の通信スロットのＲＳＳＩ検出値が、閾値を下回っているか否かを判定する。ここで、下回っている場合には、ステップ４ｄに移行し、一方、下回っていない場合には、ステップ４ｃに移行し、再びＲＳＳＩ検出値を監視する。
【００５９】
ステップ４ｄでは、２つの通信スロットのうち、ステップ４ｃで監視した通信スロットではない、残る一方の通信スロットのＲＳＳＩ検出値が、閾値を下回っているか否かを判定する。ここで、下回っている場合には、ステップ４ｅに移行し、一方、下回っていない場合には、ステップ４ｆに移行する。
【００６０】
ステップ４ｅでは、２つの通信スロットのＲＳＳＩ検出値が閾値を下回っている状態が、規定時間ｔ１以上連続しているか否かを判定する。ここで、規定時間ｔ１以上連続している場合には、ステップ４ｇに移行し、一方、下回っていない場合には、ステップ４ｃに移行し、再びＲＳＳＩ検出値を監視する。
【００６１】
ステップ４ｆでは、ステップ４ｃにて閾値が下回っていると判定された通信スロットのＲＳＳＩ検出値が、規定時間ｔ２（＞ｔ１）以上連続して閾値を下回っているか否かを判定する。
【００６２】
ここで、規定時間ｔ２以上連続している場合には、ステップ４ｇに移行し、一方、下回っていない場合には、ステップ４ｃに移行し、再びＲＳＳＩ検出値を監視する。
【００６３】
ステップ４ｇでは、チャネルまたはスロットの切換制御を実行する。以後、再び基地局との間で通信が再開されると、上述の処理をステップ４ａより再開する。
【００６４】
以上のように、上記構成の移動無線端末装置では、一方の通信スロットのＲＳＳＩ検出値が閾値を越えて正常な通信がなされている場合には、残る他方の通信スロットのＲＳＳＩ検出値が、上記閾値を、通常の規定時間ｔ１よりも長い規定時間ｔ２以上連続して下回る場合に限り、電波環境の悪化とみなして、チャネルまたはスロットの切換制御を実行するようにしている。
【００６５】
すなわち、２つのスロットを用いた通信時において、図５に示すように、一方の通信スロットのＲＳＳＩ検出値が閾値レベルを越えていれば、残る一方の通信スロットのＲＳＳＩ検出値が閾値レベルを越えていない状態が通常の規定時間ｔ１よりも長いｔ２以上連続していないと、一時的なＲＳＳＩ検出値の低下とみなして、チャネルまたはスロットの切換制御を実行しないようにしている。
【００６６】
したがって、上記構成の移動無線端末装置によれば、２スロットによる通信時に、１つの通信スロットのＲＳＳＩ検出レベルが一時的に規定値を所定時間以上連続して下回った場合でも、不必要なチャネルやスロットの切換制御の実行を防止して、通信品質の劣化を防止することができる。
【００６７】
また、この発明は、上述した実施の形態に限定されるものではない。
例えば、制御部１００は、通信スロットのＲＳＳＩ検出値が予め設定した閾値ｔｈ１を規定時間以上連続して下回った場合に、チャネルやスロットの切換制御を実行するが、新たな制御機能として制御部１００は、２スロット通信時において、一方の通信スロットのＲＳＳＩ検出値が上記閾値ｔｈ１を越える場合には、残る他方の通信スロットのＲＳＳＩ検出値が上記閾値ｔｈ１よりも低い閾値ｔｈ２を規定時間以上連続して下回る場合に、チャネルやスロットの切換制御を実行するようにしてもよい。
【００６８】
以下、上述したような制御部１００を備えた構成の移動無線端末装置を、第３の実施形態として、チャネル／スロット切換制御の開始判定処理について説明する。図６は、その動作を説明するためのフローチャートである。
【００６９】
まず、図示しない基地局との間で通信が開始されると、ステップ６ａにおいて、現在行われている通信が２スロット通信であるか否かを判定する。ここで、１スロット通信の場合には、ステップ６ｂに移行し、一方、２スロット通信の場合には、ステップ６ｃに移行する。
【００７０】
ステップ６ｂでは、通信に用いているスロットのＲＳＳＩ検出値が、閾値ｔｈ１より規定時間以上連続して下回っているか否かを判定する。ここで、下回っている場合には、ステップ６ｈに移行し、一方、下回っていない場合には、ステップ６ｂに移行し、再びＲＳＳＩ検出値を監視する。
【００７１】
ステップ６ｃでは、２つの通信スロットのうち、一方の通信スロットのＲＳＳＩ検出値が、閾値ｔｈ１を下回っているか否かを判定する。ここで、下回っている場合には、ステップ６ｄに移行し、一方、下回っていない場合には、ステップ６ｆに移行する。
【００７２】
ステップ６ｄでは、２つの通信スロットのうち、ステップ６ｃで監視した通信スロットではない、残る一方の通信スロットのＲＳＳＩ検出値が、閾値ｔｈ１を下回っているか否かを判定する。ここで、下回っている場合には、ステップ６ｅに移行し、一方、下回っていない場合には、ステップ６ｃに移行し、再びＲＳＳＩ検出値を監視する。
【００７３】
ステップ６ｅでは、２つの通信スロットのＲＳＳＩ検出値が閾値ｔｈ１を下回っている状態が、規定時間以上連続しているか否かを判定する。ここで、下回っている場合には、ステップ６ｈに移行し、一方、下回っていない場合には、ステップ６ｃに移行し、再びＲＳＳＩ検出値を監視する。
【００７４】
ステップ６ｆでは、２つの通信スロットのうち、ステップ６ｃで監視した通信スロットではない、残る一方の通信スロットのＲＳＳＩ検出値が、閾値ｔｈ２（＜ｔｈ１）を下回っているか否かを判定する。ここで、下回っている場合には、ステップ６ｇに移行し、一方、下回っていない場合には、ステップ６ｃに移行し、再びＲＳＳＩ検出値を監視する。
【００７５】
ステップ６ｇでは、ステップ６ｃにて閾値が下回っていると判定された通信スロットのＲＳＳＩ検出値が閾値ｔｈ１を、そしてまた、ステップ６ｆにて閾値が下回っていると判定された通信スロットのＲＳＳＩ検出値が閾値ｔｈ２を、それぞれ規定時間以上連続して下回っているか否かを判定する。
【００７６】
ここで、両通信スロットともＲＳＳＩ検出値がそれぞれの閾値を下回っている場合には、ステップ６ｈに移行し、一方、下回っていない場合には、ステップ６ｃに移行し、再びＲＳＳＩ検出値を監視する。
【００７７】
ステップ６ｈでは、チャネルまたはスロットの切換制御を実行する。以後、再び基地局との間で通信が再開されると、上述の処理をステップ６ａより再開する。
【００７８】
以上のように、上記構成の移動無線端末装置では、一方の通信スロットのＲＳＳＩ検出値が閾値ｔｈ１を越えて正常な通信がなされている場合には、残る他方の通信スロットのＲＳＳＩ検出値が、通常の閾値ｔｈ１よりも低い閾値ｔｈ２を規定時間以上連続して下回る場合に限り、電波環境の悪化とみなして、チャネルまたはスロットの切換制御を実行するようにしている。
【００７９】
すなわち、２つのスロットを用いた通信時において、図７に示すように、一方の通信スロットのＲＳＳＩ検出値が閾値ｔｈ１を越えていれば、残る一方の通信スロットのＲＳＳＩ検出値が通常の閾値ｔｈ１よりも低い閾値ｔｈ２より低い状態が規定時間以上連続していないと、一時的なＲＳＳＩ検出値の低下とみなして、チャネルまたはスロットの切換制御を実行しないようにしている。
【００８０】
したがって、上記構成の移動無線端末装置によれば、２スロットによる通信時に、１つの通信スロットのＲＳＳＩ検出レベルが一時的に規定値を所定時間以上連続して下回った場合でも、不必要なチャネルやスロットの切換制御の実行を防止して、通信品質の劣化を防止することができる。
【００８１】
さらに、この発明は、上述した実施の形態に限定されるものではない。
例えば、制御部１００は、通信スロットのＲＳＳＩ検出値が予め設定した閾値を規定時間以上連続して下回った場合に、チャネルやスロットの切換制御を実行するが、新たな制御機能として制御部１００は、２スロット通信時において、２つの通信スロットのＲＳＳＩ検出値の平均値が上記閾値を規定時間以上連続して下回る場合に、チャネルやスロットの切換制御を実行するようにしてもよい。
【００８２】
以下、上述したような制御部１００を備えた構成の移動無線端末装置を、第４の実施形態として、チャネル／スロット切換制御の開始判定処理について説明する。図８は、その動作を説明するためのフローチャートである。
【００８３】
まず、図示しない基地局との間で通信が開始されると、ステップ８ａにおいて、現在行われている通信が２スロット通信であるか否かを判定する。ここで、１スロット通信の場合には、ステップ８ｂに移行し、一方、２スロット通信の場合には、ステップ８ｃに移行する。
【００８４】
ステップ８ｂでは、通信に用いているスロットのＲＳＳＩ検出値が、閾値より規定時間以上連続して下回っているか否かを判定する。ここで、下回っている場合には、ステップ８ｄに移行し、一方、下回っていない場合には、ステップ８ｂに移行し、再びＲＳＳＩ検出値を監視する。
【００８５】
ステップ８ｃでは、２つの通信スロットのＲＳＳＩ検出値の平均値が、閾値を下回っているか否かを判定する。ここで、下回っている場合には、ステップ８ｄに移行し、一方、下回っていない場合には、ステップ８ｃに移行し、再びＲＳＳＩ検出値を監視する。
【００８６】
ステップ８ｄでは、チャネルまたはスロットの切換制御を実行する。以後、再び基地局との間で通信が再開されると、上述の処理をステップ８ａより再開する。
【００８７】
以上のように、上記構成の移動無線端末装置では、２つの通信スロットのＲＳＳＩ検出値の平均値が、閾値を規定時間以上連続して下回る場合に限り、電波環境の悪化とみなして、チャネルまたはスロットの切換制御を実行するようにしている。
【００８８】
すなわち、２つのスロットを用いた通信時において、図９に示すように、一方の通信スロットのＲＳＳＩ検出値が高ければ、残る一方の通信スロットのＲＳＳＩ検出値が低くても、結果的に２つの通信スロットのＲＳＳＩ検出値の平均値が閾値を越えるため、この平均値が閾値を越える場合には一時的なＲＳＳＩ検出値の低下とみなして、チャネルまたはスロットの切換制御を実行しないようにしている。
【００８９】
したがって、上記構成の移動無線端末装置によれば、２スロットによる通信時に、１つの通信スロットのＲＳＳＩ検出レベルが一時的に規定値を所定時間以上連続して下回った場合でも、不必要なチャネルやスロットの切換制御の実行を防止して、通信品質の劣化を防止することができる。
【００９０】
なお、この発明は、上述した実施の形態に限定されるものではない。例えば、各実施形態において、チャネルやスロットの切り換え対象とするスロットについて、明確に言及しなかったが、これは、既存のシステムに準じて行うようにすればよい。例えば、ＲＳＳＩ検出値が低下した通信スロットのみを切り換え対象としてもよいし、２つの通信スロット、両方を切り換え対象としてもよい。
【００９１】
その他、上述の構成を携帯電話システムや自動車電話システムの移動無線端末装置に適用するなど、この発明の要旨を逸脱しない範囲で種々の変形を施しても同様に実施可能であることはいうまでもない。
【００９２】
【発明の効果】
以上述べたように、この発明では、通信に用いる複数のタイムスロットの受信電界強度が、すべての閾値を規定時間以上連続して下回っている場合に限り、電波環境の悪化とみなして、タイムスロットの切換制御を実行するようにしている。
【００９３】
すなわち、複数のタイムスロットを用いた通信時において、いずれかのタイムスロットの受信電界強度が閾値を越えていれば、残るタイムスロットの受信電界強度が閾値を越えていない状態が規定時間以上連続していても、一時的な受信電界強度の低下とみなして、タイムスロットの切換制御を実行しないようにしている。
【００９４】
したがって、この発明によれば、複数のタイムスロットによる通信時に、１つのタイムスロットの受信電界強度が一時的に規定値を所定時間以上連続して下回った場合でも、不必要なタイムスロットの切換制御の実行を防止して、通信品質の劣化を防止することが可能な移動無線端末装置を提供できる。
【００９８】
さらに、この発明では、いずれかのタイムスロットの受信電界強度が第１の閾値を越えている場合には、残るいずれかのタイムスロットの受信電界強度が、第１の閾値よりも低い第２の閾値を規定時間以上連続して下回る場合に限り、電波環境の悪化とみなして、タイムスロットの切換制御を実行するようにしている。
【００９９】
すなわち、複数のタイムスロットを用いた通信時において、いずれかのタイムスロットの受信電界強度が第１の閾値を越えていれば、残るいずれかのタイムスロットの受信電界強度が第１の閾値よりも第２の閾値より低い状態が規定時間以上連続していないと、一時的な受信電界強度の低下とみなして、タイムスロットの切換制御を実行しないようにしている。
【０１００】
したがって、この発明によれば、複数のタイムスロットによる通信時に、１つのタイムスロットの受信電界強度が一時的に規定値を所定時間以上連続して下回った場合でも、不必要なタイムスロットの切換制御の実行を防止して、通信品質の劣化を防止することが可能な移動無線端末装置を提供できる。
【０１０１】
さらにまた、この発明では、複数のタイムスロットの受信電界強度の平均値が、閾値を規定時間以上連続して下回る場合に限り、電波環境の悪化とみなして、チャネルまたはスロットの切換制御を実行するようにしている。
【０１０２】
すなわち、複数のタイムスロットを用いた通信時において、いずれかのタイムスロットの受信電界強度が高ければ、残るタイムスロットの受信電界強度が低くても、結果的に複数のタイムスロットの受信電界強度の平均値が閾値を越えるため、この平均値が閾値を越える場合には一時的な受信電界強度の低下とみなして、タイムスロットの切換制御を実行しないようにしている。
【０１０３】
したがって、この発明によれば、複数のタイムスロットによる通信時に、いずれかのタイムスロットの受信電界強度が一時的に規定値を所定時間以上連続して下回った場合でも、不必要なチャネルやスロットの切換制御の実行を防止して、通信品質の劣化を防止することが可能な移動無線端末装置を提供できる。
【図面の簡単な説明】
【図１】この発明に係わる移動無線端末装置の構成を示す回路ブロック図。
【図２】第１の実施形態に係わる移動無線端末装置のチャネル／スロット切換制御の開始判定処理を説明するためのフローチャート。
【図３】第１の実施形態に係わる移動無線端末装置のチャネル／スロット切換制御の開始判定処理を説明するための図。
【図４】第２の実施形態に係わる移動無線端末装置のチャネル／スロット切換制御の開始判定処理を説明するためのフローチャート。
【図５】第２の実施形態に係わる移動無線端末装置のチャネル／スロット切換制御の開始判定処理を説明するための図。
【図６】第３の実施形態に係わる移動無線端末装置のチャネル／スロット切換制御の開始判定処理を説明するためのフローチャート。
【図７】第３の実施形態に係わる移動無線端末装置のチャネル／スロット切換制御の開始判定処理を説明するための図。
【図８】第４の実施形態に係わる移動無線端末装置のチャネル／スロット切換制御の開始判定処理を説明するためのフローチャート。
【図９】第４の実施形態に係わる移動無線端末装置のチャネル／スロット切換制御の開始判定処理を説明するための図。
【図１０】２つの通信スロットを用いた通信の概念を説明するための図。
【図１１】２つの通信スロットを用いた通信の概念を説明するための図。
【図１２】従来の移動無線端末装置のチャネル／スロット切換制御の開始判定処理を説明するための図。
【符号の説明】
１０…無線部
１１…アンテナ
１３…受信部
１５…送信部
１６…受信電界強度検出部（ＲＳＳＩ）
２０…モデム部
２１…復調部
２２…変調部
３０…ＴＤＭＡ部
３１…ＴＤＭＡデコード部
３２…ＴＤＭＡエンコード部
４０…通話部
４１…適応差分ＰＣＭトランスコーダ（ADPCM TRANS CODER）
４２…ＰＣＭコーデック（PCM CODEC）
４３…スピーカ
４４…マイクロホン（Ｍ）
５０…着信報知部
５１…発音体
５２…発光体
５３…振動体
６０…メモリ部
７０…ユーザインターフェイス部
７１…表示部
７２…キー入力部
８０…バッテリ
９０…バッテリ監視部
９１…充電検出手段
１００…制御部
【図１】
0004398547.tif 000002
【図２】
0004398547.tif 000003
【図３】
0004398547.tif 000004
【図４】
0004398547.tif 000005
【図５】
0004398547.tif 000006
【図６】
0004398547.tif 000007
【図７】
0004398547.tif 000008
【図８】
0004398547.tif 000009
【図９】
0004398547.tif 000010
【図１０】
0004398547.tif 000011
【図１１】
0004398547.tif 000012
【図１２】
0004398547.tif 000013